(57)【要約】      （修正有）【課題】カメラ付き携帯電話機を用いた簡便な遠隔監視システムを得る。【解決手段】撮影部２０は遠隔操作で撮影を行うための操作部を備え、この操作部へのアクセスを許可するためのキーワードと、本キーワードに対応する送信元の電話機のアドレスをＲＡＭ１８に記憶させる。予め登録した制御用キーワードと受信したメールの本文が一致しているか否かを判別し、制御用キーワードが一致している場合は、カメラにて自動的に写真を撮影し、予め登録した遠隔制御用メールアドレスへ撮影部２０が撮影した撮影データを送受信部１２が送信する。本構成により、カメラ付き携帯電話機にほぼ標準で搭載されているメールおよびカメラ機能を利用して、遠隔で該カメラ付き携帯電話機を制御可能とし、遠隔での監視機能を構成した。【選択図】図１
2011097598.tif 000002
【特許請求の範囲】
【請求項１】
遠隔制御装置からの遠隔操作で撮影を行うための遠隔操作部を備えた撮影部と、
前記遠隔制御装置による前記撮影部へのアクセスを許可するためのパスワードであり、メールで使用できる任意の文字列からなる、キーワードを記憶するキーワード記憶部と、
前記遠隔制御装置のメールアドレスであるところの遠隔制御用メールアドレスを、前記キーワードと対応付けて予め記憶するアドレス記憶部と、
前記撮影部が撮影した撮影データを前記遠隔制御用メールアドレスへ送信する送信部と、を有し、
カメラ付き携帯電話機を用いて、受信したメールの送信元アドレスと前記遠隔制御用メールアドレスとの一致、前記受信したメールの件名と制御用メール識別データとの一致、及び前記受信したメールの本文と前記キーワードとの一致の判定をもとに、前記アクセスの許可を判断する遠隔監視機能を構成したことを特徴とする遠隔監視機能付携帯電話機。
【請求項２】
前記遠隔操作で撮影した前記撮影データを、前記遠隔制御用メールアドレスへ自動送信することを特徴とする請求項１に記載の遠隔監視機能付携帯電話機。
【請求項３】
前記遠隔操作は、前記撮影部のズーム操作機能を含むことを特徴とする請求項１または２記載の遠隔監視機能付携帯電話機。
【請求項４】
前記遠隔操作は、リアルタイムの前記撮影データの送受信を含み、双方向性の画像送受信機能を構成したことを特徴とする請求項１から３の何れかに記載の遠隔監視機能付携帯電話機。
【請求項５】
遠隔制御装置からの遠隔操作で撮影を行うための遠隔操作部を備えた撮影部と、
前記遠隔制御装置による前記撮影部へのアクセスを許可するためのパスワードであり、メールで使用できる任意の文字列からなる、キーワードを記憶するキーワード記憶部と、
前記遠隔制御装置のメールアドレスであるところの遠隔制御用メールアドレスを、前記キーワードと対応付けて予め記憶するアドレス記憶部と、
前記撮影部が撮影した撮影データを前記遠隔制御用メールアドレスへ送信する送信部と、を備えたカメラ付き携帯電話機と、
前記カメラ付き携帯電話機を操作する、前記遠隔制御装置であるところの所定の電話機とがリンクされ、
前記カメラ付き携帯電話機により、
受信したメールの送信元アドレスと前記遠隔制御用メールアドレスとの一致、前記受信したメールの件名と制御用メール識別データとの一致、及び前記受信したメールの本文と前記キーワードとの一致の判定をもとに、前記アクセスの許可を判断する遠隔監視機能が構成されたことを特徴とする、カメラ付き携帯電話機を用いた遠隔監視システム。
【請求項６】
前記遠隔操作で撮影した前記撮影データを、前記遠隔制御用メールアドレスへ自動送信することを特徴とする請求項５に記載のカメラ付き携帯電話機を用いた遠隔監視システム。
【請求項７】
前記遠隔操作は、前記撮影部のズーム操作を含むことを特徴とする請求項５または６に記載のカメラ付き携帯電話機を用いた遠隔監視システム。
【請求項８】
前記遠隔操作は、リアルタイムの前記撮影データの送受信を含み、双方向性の画像送受信機能を構成したことを特徴とする請求項５から７の何れかに記載のカメラ付き携帯電話機を用いた遠隔監視システム。
【発明の詳細な説明】
【技術分野】
【０００１】
本発明は、遠隔監視機能付携帯電話機およびカメラ付き携帯電話機を用いた遠隔監視システムに関し、たとえば、カメラ付き携帯電話機のメール機能およびカメラ機能を利用して、遠隔監視機能を備えた遠隔監視機能付携帯電話機およびカメラ付き携帯電話機を用いて遠隔監視機能を備えた遠隔監視システムに関する。
【背景技術】
【０００２】
遠隔監視または遠隔閲覧システムは、撮影装置で撮影された撮影画像を遠隔地で閲覧するのに好適な遠隔閲覧システムとして構成されている（例えば、特許文献１参照）。
【０００３】
また、他の従来例では、現場側端末装置と操作側端末装置とをインターネットを介して接続し、遠隔地にある現場の状況をリアルタイムに確認する上で有利な遠隔画像データ取得システムを構成している（例えば、特許文献２参照）。
【０００４】
さらに、その他の従来例では、監視装置と監視情報取得装置間をＩＳＤＮ網で接続し、呼設定情報を利用せずに、監視者にのみ監視情報を供給できる監視情報取得装置を提供する、としている（例えば、特許文献３参照）。
【先行技術文献】
【特許文献】
【０００５】
【特許文献１】特開２００１−３１３９３２号公報
【特許文献２】特開２００３−０８７７７４号公報
【特許文献３】特開平０９−２１４９４１号公報
【発明の概要】
【発明が解決しようとする課題】
【０００６】
しかしながら、一般住宅街においてピッキング等の空き巣事件が年々増大しており、極普通の家庭でも外出時に自宅の状況を確認したり、留守番の子供の様子を確認する必用が生じている。あるいは、ペットの状況を確認したい等の要望もある。このため、外出先から自宅の様子を簡便に確認したいという要求が年々多くなってきている。また、留守時の来訪者の確認や、来訪者との迅速で簡便な連絡網の構築が要求されている。さらに、状況に応じて双方向通信が求められる。
【０００７】
ところが、従来の遠隔監視装置、遠隔閲覧システム、監視情報取得装置等は、コストの面、工事の面等で、簡便な監視システムを一般の家庭に設置することは、現実的に難かしい状況にある問題点を伴う。
また、上掲の従来例の何れも、監視の為に特別な装置が必要であり、コストがかさむ。また、装置も大きくなり、設置個所も限定される等の問題点を有する。
【０００８】
本発明は、カメラ付き携帯電話機を用いた簡便な遠隔監視システムを提供することを目的とする。
より詳細には、携帯電話機等のカメラ付き携帯電話機にほぼ標準で搭載されているメールおよびカメラ機能を利用し、該カメラ付き携帯電話機を制御して遠隔での監視機能を構成した、遠隔監視機能付携帯電話機およびカメラ付き携帯電話機を用いた遠隔監視システムを提供することにある。
【課題を解決するための手段】
【０００９】
本発明の遠隔監視機能付携帯電話機は、遠隔制御装置からの遠隔操作で撮影を行うための遠隔操作部を備えた撮影部と、前記遠隔制御装置による前記撮影部へのアクセスを許可するためのパスワードであり、メールで使用できる任意の文字列からなる、キーワードを記憶するキーワード記憶部と、前記遠隔制御装置のメールアドレスであるところの遠隔制御用メールアドレスを、前記キーワードと対応付けて予め記憶するアドレス記憶部と、前記撮影部が撮影した撮影データを前記遠隔制御用メールアドレスへ送信する送信部と、を有し、カメラ付き携帯電話機を用いて、受信したメールの送信元アドレスと前記遠隔制御用メールアドレスとの一致、前記受信したメールの件名と制御用メール識別データとの一致、及び前記受信したメールの本文と前記キーワードとの一致の判定をもとに、前記アクセスの許可を判断する遠隔監視機能を構成したことを特徴としている。
【００１０】
また、遠隔操作で撮影した前記撮影データを、前記遠隔制御用メールアドレスへ自動送信し、前記遠隔操作は、前記撮影部のズーム操作機能を含み、さらに、前記遠隔操作は、リアルタイムの前記撮影データの送受信を含み、双方向性の画像送受信機能を構成するとよい。
【００１１】
本発明のカメラ付き携帯電話機を用いた遠隔監視システムは、遠隔制御装置からの遠隔操作で撮影を行うための遠隔操作部を備えた撮影部と、前記遠隔制御装置による前記撮影部へのアクセスを許可するためのパスワードであり、メールで使用できる任意の文字列からなる、キーワードを記憶するキーワード記憶部と、前記遠隔制御装置のメールアドレスであるところの遠隔制御用メールアドレスを、前記キーワードと対応付けて予め記憶するアドレス記憶部と、前記撮影部が撮影した撮影データを前記遠隔制御用メールアドレスへ送信する送信部と、を備えたカメラ付き携帯電話機と、前記カメラ付き携帯電話機を操作する、前記遠隔制御装置であるところの所定の電話機とがリンクされ、前記カメラ付き携帯電話機により、受信したメールの送信元アドレスと前記遠隔制御用メールアドレスとの一致、前記受信したメールの件名と制御用メール識別データとの一致、及び前記受信したメールの本文と前記キーワードとの一致の判定をもとに、前記アクセスの許可を判断する遠隔監視機能が構成されたことを特徴としている。
【００１２】
また、遠隔操作で撮影した撮影データを上記のアドレスへ自動送信し、遠隔操作は、ズーム操作を含み、さらに、リアルタイムの前記撮影データの送受信を含み、双方向性の画像送受信機能を構成するとよい。
【発明の効果】
【００１３】
本発明の遠隔監視機能付携帯電話機およびカメラ付き携帯電話機を用いた遠隔監視システムは、撮影部に備えられた操作部で遠隔撮影を行い、この操作部へのアクセスを許可するための、メールで使用できる任意の文字列からなり、パスワード相当のキーワードを予め記憶し、このキーワードが一致している、予め登録した遠隔制御用メールアドレスも予め記憶しておく。また、撮影部が撮影した撮影データを上記のアドレスへ送信する。これにより、カメラ付き携帯電話機による撮影を遠隔操作可能としている。簡便な設備で、留守宅内の状況の確認や、ペットや子供の状態確認等が可能となる。機械操作が容易に行えない老齢者等とのコミュニケーションが容易となる。
【図面の簡単な説明】
【００１４】
【図１】遠隔監視機能付携帯電話機およびカメラ付き携帯電話機を用いた遠隔監視システムの実施形態に該当する、携帯電話機の電気的構成例を示すブッロク図である。
【図２】メール受信時の遠隔制御動作手順例を示すフローチャートである。
【発明を実施するための形態】
【００１５】
次に、添付図面を参照して本発明による遠隔監視機能付携帯電話機およびカメラ付き携帯電話機を用いた遠隔監視システムの実施の形態を詳細に説明する。図１および図２を参照すると、本発明の遠隔監視機能付携帯電話機およびカメラ付き携帯電話機を用いた遠隔監視システムの一実施形態が示されている。
【００１６】
図１は、本実施形態へ適用される携帯電話機の電気的構成例を示すブッロク図である。本実施形態へ適用される携帯電話機１０は、アンテナ１１と、送受信部１２と、制御部１３と、操作部１４と、送話部（マイクロホン）１５と、受話部（スピーカ）１６と、ＲＯＭ１７と、ＲＡＭ１８と、表示部１９と、遠隔操作部を備えた撮影部２０と、電池等の電源部３０とから構成される。なお、上記のＲＡＭ１８は、他の電話機からの撮影部２０の遠隔操作部へのアクセスを許可するための、キーワードの記憶部または記憶領域を確保しているものとする。
【００１７】
アンテナ１１は、無線電波の送受信を行う。送受信部１２は、アンテナ１１を介して変調された音声やデータの無線電波での送受を行う。
【００１８】
操作部１４は、送信ボタン、英字／カナ／漢字／数字の変換ボタン、電源のオン／オフボタン、カーソル操作を行うための十字ボタン、及び終了ボタン等から構成されている。
送話部１５は、利用者の音声を電気信号へ変換する。
受話部１６は、復調された音声を利用者へ伝達する。
【００１９】
ＲＯＭ１７は、制御部１３を動作させるための遠隔制御プログラムを記録すると共に、表示部１９にて表示するための文字情報やイラスト情報を記憶する。さらに、本ＲＯＭ１７には、携帯電話機１０の一部の動作を遠隔制御によって撮影部２０を操作可能とする撮影部操作プログラムが記録されている。なお、本撮影部操作プログラムには、遠隔撮影機能を実行するための処理プログラムが記録されている。より具体的には、撮影部による撮影、オートフォーカス、ズーム、撮影画像データの送信、等々の機能を実行し処理するためのプログラムを含むものとする。
【００２０】
ＲＡＭ１８は、操作部１４で生成された入力データ（例えば、電話帳、メールアドレス等）や送受信部１２で受信されたメール等、利用者の秘匿希望情報を記憶する。なお、本秘匿希望情報には、上記遠隔撮影機能の実行を有効化するための、「遠隔撮影許可キー」のデータが含まれるものとする。
【００２１】
上記「遠隔撮影許可キー」を解錠するためのデータは、本携帯電話機１０とは異なる他の携帯電話機、固定電話機、ＩＰ電話機等からのアクセスに対応する。また、これと伴に、自身の携帯電話機１０に備えられている操作部１４の操作によっても「遠隔撮影許可キー」の解錠が可能とされる。
【００２２】
制御部１３は、ＣＰＵ等で構成され、この携帯電話機全体を制御すると共に、ＲＯＭ１７に記憶されている遠隔制御用データと、送受信部１２で受信された遠隔操作用データとの一致／不一致を判定し、一致した時、ＲＡＭ１８に記憶されている秘匿希望情報をマスクする。
表示部１９は、例えば、ＬＣＤやＥＬ（エレクトロルミネッセンス）等で構成されている。
撮影部２０は、カメラ撮影を行う機能部であり、他の電話機からの操作・指示による撮影を可能とする遠隔操作部を備えているものとする。
【００２３】
予め、カメラ付き携帯電話機に遠隔監視を行うときに使用するメールアドレスおよび、制御キーワードをＲＡＭ１８に登録しておく。この制御キーワードは、パスワードに相当するものであり、メールで使用できる任意の文字列を指定する。
【００２４】
カメラ付き携帯電話機から画像データを入手したい場合は、予めカメラ付き携帯電話機１０に登録しているメールアドレス（携帯電話機、固定電話機、パソコンを含むものとする）から、カメラ付き携帯電話機あてにメールを送信する。このメールの件名には、カメラ付き携帯電話機内に固定で持っている制御用メールであることを識別するためのデータ（例えば「遠隔制御用メール」等）を設定する。また、メール本文には、カメラ付き携帯電話機１０に予め設定してある制御キーワード（アクセスを許可するためのキーワード）を設定する。
【００２５】
次に、メール受信時の遠隔制御動作手順例を図２に示す。本図２は、上記に構成される携帯電話機を用いた遠隔監視機能付携帯電話機およびカメラ付き携帯電話機を用いた遠隔監視システムの動作例を示すフローチャートである。本フローチャートは、下記の手順を示している。
【００２６】
先ず、メール受信まで待機する（ステップＳ１）。
メールを受信すると（ステップＳ１／ＹＥＳ）、予め登録した遠隔制御用メールアドレスと、受信したメールの送信元アドレスとが一致しているか否かを判断する（ステップＳ２）。
上記判断の結果が、一致していなければ（ステップＳ２／ＮＯ）、通常のメール受信処理を行う（ステップＳ６）。
一致している場合は（ステップＳ２／ＹＥＳ）、さらに、カメラ付き携帯電話機内に固定で持っている制御用メールであることを識別するためのデータと、受信したメールの件名が一致しているか否かを判別する（ステップＳ３）。
【００２７】
受信したメールの件名が一致していなければ（ステップＳ３／ＮＯ）、通常のメール受信処理を行う（ステップＳ６）。
受信したメールの件名が一致している場合は（ステップＳ３／ＹＥＳ）、さらに予め登録した制御用キーワードと受信したメールの本文が一致しているか否かを判別する（ステップＳ４）。
【００２８】
制御用キーワードが一致していなければ（ステップＳ４／ＮＯ）、通常のメール受信処理を行う（ステップＳ６）。
制御用キーワードが一致している場合は（ステップＳ４／ＹＥＳ）、カメラにて自動的に写真を撮影し（ステップＳ５）、予め登録した遠隔制御用メールアドレスへ撮影した写真を送信する（ステップＳ７）。
なお、上記の写真撮影及び撮影データの送信は、双方向性も可能とし、本双方向性の通信には交互通信も含まれるものとする。
【００２９】
以上説明したように動作する本実施形態においては、以下に記載するような効果を奏する。
上記制御を特別なシステムを構築することなく、現在カメラ付き携帯電話機に標準で搭載されてメールサービスを利用して、上記の実施形態を実現できることである。
【符号の説明】
【００３０】
１０    携帯電話機
１１    アンテナ
１２    送受信部
１３    制御部
１４    操作部
１５    送話部（マイクロホン）
１６    受話部（スピーカ）
１７    ＲＯＭ
１８    ＲＡＭ
１９    表示部
２０    撮影部
３０    電源部
【図１】
2011097598.tif 000003
【図２】
2011097598.tif 000004